(57)【特許請求の範囲】
【請求項１】
ユーザ装置ための動作しているリモート無線装置（ＲＲＵ）セットを選択するための基地局により実施される方法であって、前記方法は、
セル内の全てのＲＲＵの測定情報値に従って、前記ユーザ装置の第１のＲＲＵセットを判別するステップと、
前記第１のＲＲＵセットと、第１の残存ＲＲＵとの第１のアイソレーションを計算するステップであって、前記第１の残存ＲＲＵは、前記第１のＲＲＵセット以外の、前記セルにおけるＲＲＵである、ステップと、
前記第１のアイソレーションの計算結果に従って、前記ユーザ装置のための動作しているＲＲＵセットを判別するステップと、
を具備することを特徴とするユーザ装置ための動作しているリモート無線装置（ＲＲＵ）セットを選択するための基地局により実施される方法。
【請求項２】
前記第１のＲＲＵセットは、前記セル内の全てのＲＲＵにおける最大の測定情報値に対応するＲＲＵであり、
前記第１のアイソレーションの計算結果に従って、前記ユーザ装置のための動作しているＲＲＵセットを判別する前記ステップは、
前記第１のアイソレーションが、プリセットアイソレーションしきい値より小さければ、ステップＡ：前記残存ＲＲＵにおける最大の測定情報値に対応するＲＲＵを前記第１のＲＲＵセットに結合し、第２のＲＲＵセットを得るステップ、を実行し、前記第２のＲＲＵセットと、第２の残存ＲＲＵとの間の第２のアイソレーションの計算を継続するステップであって、前記第２の残存ＲＲＵは、前記第２のＲＲＵセット以外の、前記セルにおけるＲＲＵである、ステップと、
前記第１のアイソレーションが、前記プリセットアイソレーションしきい値より大きければ、又は、前記セル内のすべてのＲＲＵが、前記第１のＲＲＵセットに結合される場合には、ステップＢ：前記ユーザ装置のための動作しているＲＲＵセットとして、前記第１のＲＲＵセットを判別するステップ、を実行するステップと、
前記第１のアイソレーションが、前記プリセットアイソレーションしきい値と等しければ、ステップＡ又はステップＢを実行するステップと、
を具備することを特徴とする請求項１に記載の方法。
【請求項３】
前記第１のＲＲＵセットは、前記セル内のすべてのＲＲＵのセットであり、
前記第１のアイソレーションの計算結果に従って、前記ユーザ装置のための動作しているＲＲＵセットを判別する前記ステップは、
前記第１のアイソレーションが、プリセットアイソレーションしきい値より大きければ、ステップＡ：前記第１のＲＲＵセットから、前記第１のＲＲＵセットにおける最小の測定情報値に対応するＲＲＵを取り除き、第２のＲＲＵセットを得て、前記第２のＲＲＵセットと、第２の残存ＲＲＵとの間の第２のアイソレーションを計算するステップであって、前記第２の残存ＲＲＵは、前記第２のＲＲＵセット以外の、前記セルにおけるＲＲＵであるステップ、を実行するステップと、
前記第１のアイソレーションが、前記プリセットアイソレーションしきい値より小さければ、又は、前記第１のＲＲＵセットに、前記セル内の全てのＲＲＵにおける最大の測定情報値に対応するＲＲＵのみが残っている場合には、ステップＢ：前記ユーザ装置のための動作しているＲＲＵセットとして、前記第１のＲＲＵセットを判別するステップ、を実行するステップと、
前記第１のアイソレーションが、前記プリセットアイソレーションしきい値と等しければ、ステップＡ又はステップＢを実行するステップと、
を具備することを特徴とする請求項１に記載の方法。
【請求項４】
前記第１のＲＲＵセットは、空のセットであり、
前記第１のアイソレーションの計算結果に従って、前記ユーザ装置のための動作しているＲＲＵセットを判別する前記ステップは、
前記第１のアイソレーションが、プリセットアイソレーションしきい値より大きければ、ステップＡ：前記第１の残存ＲＲＵにおける最小の測定情報値に対応するＲＲＵを、前記第１のＲＲＵセットに結合し、第２のＲＲＵセットを得て、前記第２の現在のＲＲＵセットと、第２の残存ＲＲＵとの間の第２のアイソレーションの計算を継続するステップであって、前記第２の残存ＲＲＵは、前記第２のＲＲＵセット以外の、前記セルにおけるＲＲＵである、ステップ、を実行するステップと、
前記第１のアイソレーションが、前記プリセットアイソレーションしきい値より小さければ、又は、最大の測定情報値に対応するＲＲＵ以外の前記セル内の全てのＲＲＵが、前記第１のＲＲＵセットに結合される場合には、ステップＢ：前記ユーザ装置のための動作しているＲＲＵセットとして、前記第１のＲＲＵセットの補集合を判別するステップ、を実行するステップと、
前記第１のアイソレーションが、前記プリセットアイソレーションしきい値と等しければ、ステップＡ又はステップＢを実行するステップと、
を具備することを特徴とする請求項１に記載の方法。
【請求項５】
前記第１のＲＲＵセットは、最大の測定情報値に対応するＲＲＵ以外の前記セル内のすべてのＲＲＵのセットであり、
前記第１のアイソレーションの計算結果に従って、前記ユーザ装置のための動作しているＲＲＵセットを判別する前記ステップは、
前記第１のアイソレーションが、プリセットアイソレーションしきい値より小さければ、ステップＡ：前記第１のＲＲＵセットから、前記第１のＲＲＵセットにおける最大の測定情報値に対応するＲＲＵを取り除き、第２のＲＲＵセットを得て、前記第２のＲＲＵセットと、第２の残存ＲＲＵとの間の第２のアイソレーションの計算を継続するステップであって、前記第２の残存ＲＲＵは、前記第２のＲＲＵセット以外の、前記セルにおけるＲＲＵである、ステップを実行するステップと、
前記第２のアイソレーションが、前記プリセットアイソレーションしきい値より大きければ、又は、前記セル内の全てのＲＲＵにおいて最小の測定情報値に対応するＲＲＵのみが、前記第１のＲＲＵセットに残っている場合には、ステップＢ：前記ユーザ装置のための動作しているＲＲＵセットとして、前記第１のＲＲＵセットの補集合を判別するステップ、を実行するステップと、
前記第１のアイソレーションが、前記プリセットアイソレーションしきい値と等しければ、ステップＡ又はステップＢを実行するステップと、
を具備することを特徴とする請求項１に記載の方法。
【請求項６】
前記測定情報値は、次のパラメータ：
参照信号受信電力(RSRP)と、
信号対干渉と雑音比(SINR)と、
の１つ又は組み合わせであることを特徴とする請求項１から５の何れか一項に記載の方法。
【請求項７】
セル内の全てのＲＲＵの測定情報値に従って、前記ユーザ装置の第１のＲＲＵセットを判別する前記ステップの前に、
は、前記セル内のすべてのＲＲＵを、前記セル内の全てのＲＲＵの前記測定情報値にしたがって、昇順又は降順でソーティングするステップをさらに具備し、
アイソレーションを計算するための方法は、
ｇ ＝ ｆ（測定情報値(0), 測定情報値(1), ..., 測定情報値(m)） − ｆ（測定情報値(m+1), 測定情報値(m+2), ..., 測定情報値(N-1)）
と表現され、
ここで、ｇは、現在のＲＲＵセットのアイソレーションであり、Ｎは、前記セル内のすべてのＲＲＵの数であり、ｆは、測定情報値の合成値を等価測定値に変換するためのメソッド関数であり、現在のＲＲＵセットは、前記ソーティング順における最初のｍ＋１個のＲＲＵであることを特徴とする請求項１から５の何れか一項に記載の方法。
【請求項８】
前記測定情報値は、参照信号受信電力(RSRP)であり、
アイソレーションを計算するための方法は、
【数１】
0006299046.tif 000010
と表現され、ここで、ｇは、現在のＲＲＵセットのアイソレーションであり、Ｎは、前記セル内のすべてのＲＲＵの数であり、ｋは、ソーティング順におけるＲＲＵの番号であり、ＲＳＲＰｋは、ｋ番号の付いたＲＲＵのＲＳＲＰ値であり、現在のＲＲＵセットは、前記ソーティング順における最初のｍ＋１個のＲＲＵであることを特徴とする請求項１から５の何れか一項に記載の方法。
【請求項９】
ユーザ装置のための動作しているリモート無線装置（ＲＲＵ）セットを選択するように構成されている基地局であって、
前記基地局が、前記ユーザ装置のための動作しているＲＲＵセットを選択するための処理コードを格納するように構成されているメモリと、
セル内の全てのＲＲＵの測定情報値に従って、前記ユーザ装置の第１のＲＲＵセットを判別し、
前記第１のＲＲＵセットと、第１の残存ＲＲＵとの間の第１のアイソレーションを計算し、前記第１の残存ＲＲＵは、前記第１のＲＲＵセット以外の、前記セルにおけるＲＲＵであり、
前記第１のアイソレーションの計算結果に従って、前記ユーザ装置のための動作しているＲＲＵセットを判別する
ように構成されているプロセッサと、
を具備することを特徴とする基地局。
【請求項１０】
前記第１のＲＲＵセットは、前記セル内の全てのＲＲＵにおける、最大の測定情報値に対応するＲＲＵであり、
前記プロセッサは、
前記第１のアイソレーションが、プリセットアイソレーションしきい値より小さければ、ステップＡ：前記第１のＲＲＵセットに、前記残存ＲＲＵにおける最大の測定情報値に対応するＲＲＵを結合し、第２のＲＲＵセットを得て、前記第２のＲＲＵセットと、第２の残存ＲＲＵとの間の第２のアイソレーションの計算を継続するステップであって、前記第２の残存ＲＲＵは、前記第２のＲＲＵセット以外の、前記セルにおけるＲＲＵであるステップ、を実行し、
前記第１のアイソレーションが、前記プリセットアイソレーションしきい値より大きければ、又は、前記セルにおけるすべてのＲＲＵが、前記第１のＲＲＵセットに結合される場合には、ステップＢ：前記ユーザ装置のための動作しているＲＲＵセットとして、前記第１のＲＲＵセットを判別するステップ、を実行し、
前記第１のアイソレーションが、前記プリセットアイソレーションしきい値と等しければ、ステップＡ又はステップＢを実行する
ように特に構成されていることを特徴とする請求項９に記載の基地局。
【請求項１１】
前記第１のＲＲＵセットは、前記セル内のすべてのＲＲＵのセットであり、
前記プロセッサは、
前記第１のアイソレーションが、プリセットアイソレーションしきい値より大きければ、ステップＡ：前記第１のＲＲＵセットから、前記第１のＲＲＵセットにおいて最小の測定情報値に対応するＲＲＵを取り除き、第２のＲＲＵセットを得て、前記第２のＲＲＵセットと、第２の残存ＲＲＵとの間の第２のアイソレーションの計算を継続するステップであって、前記第２の残存ＲＲＵは、前記第２のＲＲＵセット以外の、前記セルにおけるＲＲＵであるステップ、を実行し、
前記第１のアイソレーションが、前記プリセットアイソレーションしきい値より小さければ、又は、前記セル内の全てのＲＲＵにおける最大の測定情報値に対応するＲＲＵのみが、前記第１のＲＲＵセットにおいて残っている場合には、ステップＢ：前記ユーザ装置のための動作しているＲＲＵセットとして、前記第１のＲＲＵセットを判別するステップ、を実行し、
前記第１のアイソレーションが、前記プリセットアイソレーションしきい値と等しければ、ステップＡ又はステップＢを実行する
ように特に構成されていることを特徴とする請求項９に記載の基地局。
【請求項１２】
前記第１のＲＲＵセットは、空のセットであり、
前記プロセッサは、
前記第１のアイソレーションが、プリセットアイソレーションしきい値より大きければ、ステップＡ：前記第１の残存ＲＲＵにおける最小の測定情報値に対応するＲＲＵを、前記第１のＲＲＵセットに結合し、第２のＲＲＵセットを得て、前記第２の現在のＲＲＵセットと、第２の残存ＲＲＵとの間の第２のアイソレーションの計算を継続するステップであって、前記第２の残存ＲＲＵは、前記第２のＲＲＵセット以外の、前記セルにおけるＲＲＵであるステップ、を実行し、
前記第１のアイソレーションが、前記プリセットアイソレーションしきい値より小さければ、又は、最大の測定情報値に対応するＲＲＵ以外の前記セル内の全てのＲＲＵが、前記第１のＲＲＵセットに結合される場合には、ステップＢ：前記ユーザ装置のための動作しているＲＲＵセットとして、前記第１のＲＲＵセットの補集合を判別するステップ、を実行し、
前記第１のアイソレーションが、前記プリセットアイソレーションしきい値と等しければ、ステップＡ又はステップＢを実行する
ように特に構成されていることを特徴とする請求項９に記載の基地局。
【請求項１３】
前記第１のＲＲＵセットは、最大の測定情報値に対応するＲＲＵ以外の前記セル内のすべてのＲＲＵのセットであり、
前記プロセッサは、
前記第１のアイソレーションが、プリセットアイソレーションしきい値より小さければ、ステップＡ：前記第１のＲＲＵセットから、前記第１のＲＲＵセットにおける最大の測定情報値に対応するＲＲＵを取り除き、第２のＲＲＵセットを得て、前記第２のＲＲＵセットと、第２の残存ＲＲＵとの間の第２のアイソレーションの計算を継続するステップであって、前記第２の残存ＲＲＵは、前記第２のＲＲＵセット以外の、前記セルにおけるＲＲＵであるステップ、を実行し、
前記第２のアイソレーションが、前記プリセットアイソレーションしきい値より大きければ、又は、前記セル内の全てのＲＲＵにおいて最小の測定情報値に対応するＲＲＵのみが、前記第１のＲＲＵセットに残っている場合には、ステップＢ：前記ユーザ装置のための動作しているＲＲＵセットとして、前記第１のＲＲＵセットの補集合を判別するステップ、を実行し、
前記第１のアイソレーションが、前記プリセットアイソレーションしきい値と等しければ、ステップＡ又はステップＢを実行する
ように特に構成されていることを特徴とする請求項９に記載の基地局。
【請求項１４】
前記測定情報値は、次のパラメータ：
参照信号受信電力(RSRP)と、
信号対干渉と雑音比(SINR)と、
の１つ又は組み合わせであることを特徴とする請求項９に記載の基地局。
【請求項１５】
前記プロセッサは、前記セル内の全てのＲＲＵの前記測定情報値に従って、前記セルにおけるすべてのＲＲＵを、昇順又は降順でソーシングするようにさらに構成され、
前記プロセッサがアイソレーションの計算をするために方法は、
ｇ ＝ ｆ（測定情報値(0), 測定情報値(1), ..., 測定情報値(m)） − ｆ（測定情報値(m+1), 測定情報値(m+2), ..., 測定情報値(N-1)）
と表現され、ここで、ｇは、現在のＲＲＵセットのアイソレーションであり、Ｎは、前記セル内のすべてのＲＲＵの数であり、ｆは、測定情報値の合成値を等価測定値に変換するためのメソッド関数であり、前記現在のＲＲＵセットは、前記ソーティング順で最初のｍ＋１個のＲＲＵであることを特徴とする請求項９から１３のいずれか一項に記載の基地局。
【請求項１６】
前記測定情報値は、参照信号受信電力(RSRP)であり、
前記プロセッサがアイソレーションを計算するための方法は、
【数２】
0006299046.tif 000011
と表現され、ここで、ｇは、現在のＲＲＵセットのアイソレーションであり、Ｎは、前記セル内のすべてのＲＲＵの数であり、ｋはソーティング順におけるＲＲＵの番号であり、ＲＳＲＰｋは、ｋ番号の付いたＲＲＵのＲＳＲＰ値であり、前記現在のＲＲＵセットは、前記ソーティング順で最初のｍ＋１個のＲＲＵであることを特徴とする請求項９から１３のいずれか一項に記載の基地局。
【発明の詳細な説明】
【技術分野】
【０００１】
本出願は、参照により全体が本明細書に組み込まれている、2012年12月28日に中華人民共和国国家知識産権局に出願した、「METHOD AND BASE STATION FOR SELECTING WORKING REMOTE RADIO UNIT FOR USER EQUIPMENT」という名称の中国特許出願第201210584008.8号の優先権を主張するものである。
【０００２】
本発明は、ワイヤレス通信技術の分野に関連し、具体的には、ユーザ装置のための動作しているリモート無線装置を選択するための方法及び基地局に関する。
【背景技術】
【０００３】
現在、ロング・ターム・エボリューション(LTE:Long Term Evaluation)システムは、一般に同一周波数内ネットワーキング(intra-frequency networking)を採用し、厳しい同一チャネル干渉(co-channel interference)を有している。実際には、前記干渉を減少させるために、一つのユーザ装置のために動作するために多数のＲＲＵ、例えば、マルチキャスト又はマルチ−リモート無線装置(RRU:Remote Radio Unit)セルが使用される方法を使用することによりマクロダイバーシティゲインが得られる。
【０００４】
多数のＲＲＵが一つのユーザ装置のために動作するために使用される場合、セル内のすべてのＲＲＵが前記ユーザ装置のために動作するならば、リソース利用率は、やや低い。したがって、前記ユーザ装置のために動作するために、いくつかの効果的なＲＲＵを選択する、すなわち、前記ユーザ装置のために動作するＲＲＵを選択する必要がある。従来技術においては主に、ユーザ装置のために動作するＲＲＵを選択するための２つの方法がある。第１の方法は、セル内の全てのＲＲＵにより受信された前記ユーザ装置の参照信号受信電力(RSRP:Reference Signal Receiving Power)に従って、ＲＳＲＰが降順でソーティングされ、最初のＮ個のＲＳＲＰに対応するＲＲＵが前記ユーザ装置の動作しているＲＲＵとして選択される。第２の方法は、セル内のすべてのＲＲＵにより受信されたユーザ装置のＲＳＲＰに従って、前記ＲＳＲＰが降順でソーティングされ、Ｎ個のＲＳＲＰに対応するＲＲＵは、Ｎ個のＲＳＲＰと最初のＲＳＲＰの間の差は、一定のしきい値内にあり、前記ユーザ装置の動作しているＲＲＵとして選択される。従来技術における先述の２つの方法は、双方とも、干渉の相殺とリソースの利用効率との良いバランスを達成することができず、またユーザ装置の動作しているＲＲＵを正確に判別することができない。
【発明の概要】
【課題を解決するための手段】
【０００５】
従来技術における先述した問題を解消するために、第１の態様において、本発明は、ユーザ装置のために動作しているリモート無線装置（ＲＲＵ）を選択するための方法を提供し、基地局が、ユーザ装置のためのセル内の全てのＲＲＵの測定情報値をソーティングし、前記ユーザ装置の初期ＲＲＵセットを判別するステップと、前記基地局が、前記ソーティングされたシーケンスにおける前記測定情報値に従って、前記ユーザ装置の現在のＲＲＵセットのアイソレーションを、前記初期ＲＲＵセットから始めて順序的に計算するステップと、前記基地局が、前記ユーザ装置の現在のＲＲＵセットの前記アイソレーションがプリセットアイソレーションしきい値を満たすかどうかに従って、前記ソーティングされたシーケンスにおける前記測定情報値に対応するＲＲＵが、前記ユーザ装置の動作しているＲＲＵであるかどうかを順序的に判別するステップと、を具備する。
【０００６】
前記第１の態様に関連し、第１の可能な実施方法において、前記ソーティングするステップは、降順のソーティングであり、前記ＲＲＵセットは、動作しているＲＲＵセットであり、前記初期ＲＲＵセットは、初期の動作しているＲＲＵセットであり、前記基地局が、前記ユーザ装置の初期ＲＲＵセットを判別する前記ステップは、前記基地局が、最大の測定情報値に対応するＲＲＵを、前記ユーザ装置の前記初期の動作しているＲＲＵセットとして使用するステップを具備し、前記基地局が、前記ユーザ装置の現在のＲＲＵセットの前記アイソレーションがプリセットアイソレーションしきい値を満たすかどうかに従って、前記ソーティングされたシーケンスにおける前記測定情報値に対応するＲＲＵが、前記ユーザ装置の動作しているＲＲＵであるかどうかを順序的に判別する前記ステップは、前記ユーザ装置の現在の動作しているＲＲＵセットのアイソレーションが、前記プリセットアイソレーションしきい値より小さいか、又はそれ以下であるならば、前記基地局が、前記ソーティングされたシーケンスにおける次の測定情報値に対応するＲＲＵを、前記ユーザ装置の現在の動作しているＲＲＵセットに結合し、前記ユーザ装置の現在の動作しているＲＲＵセットのアイソレーションの計算を継続するステップと、前記ユーザ装置の前記現在の動作しているＲＲＵセットの前記アイソレーションが、前記プリセットアイソレーションしきい値以上であるか、又はそれより大きいならば、又は、前記ソーティングされたシーケンスにおける最後の測定情報値に対応するＲＲＵが、前記ユーザの前記現在の動作しているＲＲＵセットに結合される場合には、前記基地局が、検証を停止するステップと、を具備する。
【０００７】
前記第１の態様に関連し、第２の可能な実施方法において、前記ソーティングするステップは、昇順のソーティングであり、前記ＲＲＵセットは、動作しているＲＲＵセットであり、前記初期ＲＲＵセットは、初期の動作しているＲＲＵセットであり、前記基地局が、前記ユーザ装置の初期ＲＲＵセットを判別する前記ステップは、前記基地局が、前記セル内のすべてのＲＲＵのセットを、前記ユーザ装置の前記初期の動作しているＲＲＵセットとして使用するステップを具備し、前記基地局が、前記ユーザ装置の現在のＲＲＵセットの前記アイソレーションがプリセットアイソレーションしきい値を満たすかどうかに従って、前記ソーティングされたシーケンスにおける前記測定情報値に対応するＲＲＵが、前記ユーザ装置の動作しているＲＲＵであるかどうかを順序的に判別する前記ステップは、前記ユーザ装置の現在の動作しているＲＲＵセットのアイソレーションが、前記プリセットアイソレーションしきい値よりも大きいか、又はそれ以上であるならば、前記基地局が、前記ユーザ装置の前記現在の動作しているＲＲＵセットから、前記ユーザ装置の現在の動作しているＲＲＵセットにおいて最小の測定情報値に対応するＲＲＵを取り除き、前記ユーザ装置の現在の動作しているＲＲＵセットのアイソレーションの計算を継続するステップと、前記ユーザ装置の前記現在の動作しているＲＲＵセットの前記アイソレーションが、前記プリセットアイソレーションしきい値未満であるか、又はそれより小さいならば、又は、前記ソーティングされたシーケンスにおける最後の測定情報値に対応するＲＲＵのみが、前記ユーザ装置の前記現在の動作しているＲＲＵセットに残っている場合には、前記基地局が、検証を停止するステップと、を具備する。
【０００８】
前記第１の態様に関連し、第３の可能な実施方法において、前記ソーティングするステップは、昇順のソーティングであり、前記ＲＲＵセットは、動作していないＲＲＵセットであり、前記初期ＲＲＵセットは、動作していない初期ＲＲＵセットであり、前記基地局が、前記ユーザ装置の初期ＲＲＵセットを判別する前記ステップは、前記基地局が、ヌルセットを、動作していない前記ユーザ装置の初期ＲＲＵセットとして使用するステップを具備し、前記基地局が、前記ユーザ装置の現在のＲＲＵセットの前記アイソレーションがプリセットアイソレーションしきい値を満たすかどうかに従って、前記ソーティングされたシーケンスにおける前記測定情報値に対応するＲＲＵが、前記ユーザ装置の動作しているＲＲＵであるかどうかを順序的に判別する前記ステップは、前記ユーザ装置の現在の動作していないＲＲＵセットのアイソレーションが、前記プリセットアイソレーションしきい値より大きいか、又は以上であるならば、前記基地局が、前記ソーティングされたシーケンスにおける次の測定情報値に対応するＲＲＵを、前記ユーザ装置の前記現在の動作していないＲＲＵセットに結合し、前記ユーザ装置の現在の動作していないＲＲＵセットのアイソレーションの計算を継続するステップと、前記ユーザ装置の前記現在の動作していないＲＲＵセットの前記アイソレーションが、前記プリセットアイソレーションしきい値以下であるか、又はそれより小さいならば、又は、前記ソーティングされたシーケンスにおいて、次の測定情報値から最後の測定情報値に対応するＲＲＵが、前記ユーザ装置の前記現在の動作していないＲＲＵセットに結合される場合には、前記基地局が、検証を停止するステップと、前記基地局が、前記ユーザ装置の前記動作していないＲＲＵセットの補集合を計算し、前記ユーザ装置の動作しているＲＲＵセットを取得するステップと、を具備する。
【０００９】
前記第１の態様に関連し、第４の可能な実施方法において、前記ソーティングするステップは、降順のソーティングであり、前記ＲＲＵセットは、動作していないＲＲＵセットであり、前記初期ＲＲＵセットは、動作していない初期ＲＲＵセットであり、前記基地局が、前記ユーザ装置の初期ＲＲＵセットを判別する前記ステップは、前記基地局が、最大の測定情報値に対応するＲＲＵ以外の前記セル内のすべてのＲＲＵのセットを、動作していない前記ユーザ装置の初期ＲＲＵセットとして使用するステップを具備し、前記基地局が、前記ユーザ装置の現在のＲＲＵセットの前記アイソレーションがプリセットアイソレーションしきい値を満たすかどうかに従って、前記ソーティングされたシーケンスにおける前記測定情報値に対応するＲＲＵが、前記ユーザ装置の動作しているＲＲＵであるかどうかを順序的に判別する前記ステップは、前記ユーザ装置の現在の動作していないＲＲＵセットのアイソレーションが前記プリセットアイソレーションしきい値より小さいか、又は以下であるならば、前記基地局が、前記ユーザ装置の前記現在の動作していないＲＲＵセットから、前記ユーザ装置の前記現在の動作していないＲＲＵセットにおける最大の測定情報値に対応するＲＲＵを取り除き、前記ユーザ装置の現在の動作していないＲＲＵセットのアイソレーションの計算を継続するステップと、前記ユーザ装置の前記現在の動作していないＲＲＵセットの前記アイソレーションが、前記プリセットアイソレーションしきい値以上であるか、又はそれより大きいならば、又は、前記ソーティングされたシーケンスにおける最後の測定情報値に対応するＲＲＵだけが、前記ユーザ装置の前記現在の動作していないＲＲＵセット内に残っている場合には、前記基地局が、検証を停止するステップと、前記基地局が、前記ユーザ装置の前記動作していないＲＲＵセットの補集合を計算し、前記ユーザ装置の動作しているＲＲＵセットを取得するステップと、を具備する。
【００１０】
前記第１の態様及び前記第１の態様における第１から第４の可能な実施方法に関連し、第５の可能な実施方法において、前記測定情報値は、次のパラメータ：参照信号受信電力(RSRP)と、信号対干渉と雑音比(SINR)と、の１つ又は組み合わせである。
【００１１】
前記第１の態様及び前記第１の態様における第１から第４の可能な実施方法に関連し、第６の可能な実施方法において、前記アイソレーションを計算するための方法は、
ｇ ＝ ｆ（測定情報値(0), 測定情報値(1), ..., 測定情報値(m)） − （測定情報値(m+1), 測定情報値(m+2), ..., 測定情報値(N-1)）
と表現され、
ここで、ｇは、前記ユーザ装置の現在のＲＲＵセットのアイソレーションであり、Ｎは、前記セル内のすべてのＲＲＵの数であり、ｆは、測定情報値の合成値を等価測定値に変換するためのメソッド関数であり、前記ユーザ装置の現在のＲＲＵセットは、前記ソーティングされたシーケンスにおける最初のｍ＋１個のＲＲＵである。
【００１２】
前記第１の態様及び前記第１の態様における前記第１から第４の可能な実施方法に関連し、第７の可能な実施方法において、前記測定情報値は、参照信号受信電力(RSRP)であり、前記アイソレーションを計算するための方法は、
【００１３】
【数１】
0006299046.tif 000002
【００１４】
と表現され、ここで、ｇは、前記ユーザ装置の現在のＲＲＵセットのアイソレーションであり、Ｎは、前記セル内のすべてのＲＲＵの数であり、ｋは、ソーティング順におけるＲＲＵの番号であり、ＲＳＲＰｋは、ｋ番号の付いたＲＲＵのＲＳＲＰ値であり、前記ユーザ装置の現在のＲＲＵセットは、前記ソーティングされたシーケンスにおける最初のｍ＋１個のＲＲＵである。
【００１５】
第２の態様において、本発明は、ユーザ装置のための動作しているリモート無線装置（ＲＲＵ）を選択するように構成されている基地局を提供する。前記基地局は、
ユーザ装置のためのセル内の全てのＲＲＵの測定情報値をソーティングするように構成されている処理モジュールと、
前記ユーザ装置の初期ＲＲＵセットを判別するように構成されている初期化モジュールと、
前記ソーティングされたシーケンスにおける前記測定情報値に従って、前記ユーザ装置の現在のＲＲＵセットのアイソレーションを、前記初期ＲＲＵセットから始めて順序的に計算するように構成されている検証モジュールと、
前記ユーザ装置の現在のＲＲＵセットの前記アイソレーションがプリセットアイソレーションしきい値を満たすかどうかに従って、前記ソーティングされたシーケンスにおける前記測定情報値に対応するＲＲＵが、前記ユーザ装置の動作しているＲＲＵであるかどうかを順序的に判別するように構成されている選択モジュールと、
を含む。
【００１６】
前記第２の態様に関連し、第１の可能な実施方法において、前記ソーティングするステップは、降順のソーティングであり、前記ＲＲＵセットは、動作しているＲＲＵセットであり、前記初期ＲＲＵセットは、初期の動作しているＲＲＵセットであり、前記初期化モジュールは、最大の測定情報値に対応するＲＲＵを前記ユーザ装置の前記初期の動作しているＲＲＵセットとして使用するように特に構成されており、前記選択モジュールは、前記ユーザ装置の現在の動作しているＲＲＵセットのアイソレーションが、前記プリセットアイソレーションしきい値より小さいか、又はそれ以下であるならば、前記基地局が、前記ソーティングされたシーケンスにおける次の測定情報値に対応するＲＲＵを、前記ユーザ装置の前記現在の動作しているＲＲＵセットに結合し、前記ユーザ装置の現在の動作しているＲＲＵセットのアイソレーションの計算を継続し、前記ユーザ装置の前記現在の動作しているＲＲＵセットの前記アイソレーションが、前記プリセットアイソレーションしきい値以上であるか、又はそれより大きいならば、又は、前記ソーティングされたシーケンスにおける最後の測定情報値に対応するＲＲＵが、前記ユーザの前記現在の動作しているＲＲＵセットに結合される場合には、前記基地局により、検証を停止させるように特に構成されている。
【００１７】
前記第２の態様に関連し、第２の可能な実施方法において、前記ソーティングするステップは、昇順のソーティングであり、前記ＲＲＵセットは、動作しているＲＲＵセットであり、前記初期ＲＲＵセットは、初期の動作しているＲＲＵセットであり、前記初期化モジュールは、前記セル内のすべてのＲＲＵのセットを前記ユーザ装置の前記初期の動作しているＲＲＵセットとして使用するように特に構成され、前記選択モジュールは、前記ユーザ装置の現在の動作しているＲＲＵセットのアイソレーションが、前記プリセットアイソレーションしきい値よりも大きいか、又はそれ以上であるならば、前記基地局が、前記ユーザ装置の前記現在の動作しているＲＲＵセットにおける最小の測定情報値に対応するＲＲＵを、前記ユーザ装置の前記現在の動作しているＲＲＵセットから削除し、前記ユーザ装置の現在の動作しているＲＲＵセットのアイソレーションの計算を継続し、前記ユーザ装置の前記現在の動作しているＲＲＵセットの前記アイソレーションが、前記プリセットアイソレーションしきい値未満であるか、又はそれより小さいならば、又は、前記ソーティングされたシーケンスにおける最後の測定情報値に対応するＲＲＵのみが、前記ユーザ装置の前記現在の動作しているＲＲＵセットに残っている場合には、前記基地局が、検証を停止するように特に構成されている。
【００１８】
前記第２の態様に関連し、第３の可能な実施方法において、前記ソーティングするステップは、昇順のソーティングであり、前記ＲＲＵセットは、動作していないＲＲＵセットであり、前記初期ＲＲＵセットは、動作していない初期ＲＲＵセットであり、前記初期化モジュールは、ヌルセットを、動作していない前記ユーザ装置の初期ＲＲＵセットとして使用するように特に構成され、前記選択モジュールは、前記ユーザ装置の現在の動作していないＲＲＵセットのアイソレーションが、前記プリセットアイソレーションしきい値より大きいか、又は以上であるならば、前記基地局が、前記ソーティングされたシーケンスにおける次の測定情報値に対応するＲＲＵを、前記ユーザ装置の前記現在の動作していないＲＲＵセットに結合し、前記ユーザ装置の現在の動作していないＲＲＵセットのアイソレーションの計算を継続し、前記ユーザ装置の前記現在の動作していないＲＲＵセットの前記アイソレーションが、前記プリセットアイソレーションしきい値以下であるか、又はそれより小さいならば、又は、前記ソーティングされたシーケンスにおいて、次の測定情報値から最後の測定情報値に対応するＲＲＵが、前記ユーザ装置の前記現在の動作していないＲＲＵセットに結合される場合には、前記基地局が、検証を停止するように特に構成され、前記基地局は、前記ユーザ装置の前記動作していないＲＲＵセットの補集合を計算し、前記ユーザ装置の動作しているＲＲＵセットを取得するように構成されている計算モジュールをさらに含む。
【００１９】
前記第２の態様に関連し、第４の可能な実施方法において、前記ソーティングするステップは、降順のソーティングであり、前記ＲＲＵセットは、動作していないＲＲＵセットであり、前記初期ＲＲＵセットは、動作していない初期ＲＲＵセットであり、前記初期化モジュールは、最大の測定情報値に対応するＲＲＵ以外の前記セル内のすべてのＲＲＵのセットを動作していない前記ユーザ装置の初期ＲＲＵセットとして使用するように特に構成され、前記選択モジュールは、前記ユーザ装置の現在の動作していないＲＲＵセットのアイソレーションが前記プリセットアイソレーションしきい値より小さいか、又は以下であるならば、前記基地局が、前記ユーザ装置の前記現在の動作していないＲＲＵセットから、前記ユーザ装置の前記現在の動作していないＲＲＵセットにおける最大の測定情報値に対応するＲＲＵを取り除き、前記ユーザ装置の現在の動作していないＲＲＵセットのアイソレーションの計算を継続し、前記ユーザ装置の前記現在の動作していないＲＲＵセットの前記アイソレーションが、前記プリセットアイソレーションしきい値以上であるか、又はより大きいならば、又は、前記ソーティングされたシーケンスにおける最後の測定情報値に対応するＲＲＵだけが、前記ユーザ装置の前記現在の動作していないＲＲＵセット内に残っている場合には、前記基地局が、検証を停止するように特に構成され、前記基地局は、前記ユーザ装置の前記動作していないＲＲＵセットの補集合を計算し、前記ユーザ装置の動作しているＲＲＵセットを取得するように構成されている計算モジュールをさらに含む。
【００２０】
前記第２の態様及び前記第２の態様における第１から第４の可能な実施方法に関連し、第５の可能な実施方法において、前記測定情報値は、次のパラメータ：参照信号受信電力(RSRP)と、信号対干渉と雑音比(SINR)と、の１つ又は組み合わせである。
【００２１】
前記第２の態様及び前記第２の態様における第１から第４の可能な実施方法に関連し、第６の可能な実施方法において、前記アイソレーションを計算するための方法は、
ｇ ＝ ｆ（測定情報値(0), 測定情報値(1), ..., 測定情報値(m)) − ｆ（測定情報値(m+1), 測定情報値(m+2), ..., 測定情報値(N-1)）
と表現され、
ここで、ｇは、前記ユーザ装置の現在のＲＲＵセットのアイソレーションであり、Ｎは、前記セル内のすべてのＲＲＵの数であり、ｆは、測定情報値の合成値を等価測定値に変換するためのメソッド関数であり、前記ユーザ装置の現在のＲＲＵセットは、前記ソーティングされたシーケンスにおける最初のｍ＋１個のＲＲＵである。
【００２２】
前記第２の態様及び前記第２の態様における前記第１から第４の可能な実施方法に関連し、第７の可能な実施方法において、前記測定情報値は、参照信号受信電力(RSRP)であり、前記アイソレーションを計算するための方法は、
【００２３】
【数２】
0006299046.tif 000003
【００２４】
と表現され、ここで、ｇは、前記ユーザ装置の現在のＲＲＵセットのアイソレーションであり、Ｎは、前記セル内のすべてのＲＲＵの数であり、ｋは、ソーティング順におけるＲＲＵの番号であり、ＲＳＲＰｋは、ｋ番号の付いたＲＲＵのＲＳＲＰ値であり、前記ユーザ装置の現在のＲＲＵセットは、前記ソーティングされたシーケンスにおける最初のｍ＋１個のＲＲＵである。
【００２５】
本発明において、ユーザ装置の現在の動作しているＲＲＵセットのアイソレーションをプリセットアイソレーションしきい値と比較することにより、リソース利用率と信号干渉とが、効果的にバランスされ、前記ユーザ装置のための動作しているリモート無線装置が正確に判別され得る。
【００２６】
技術的ソリューションを本発明の実施形態においてより明確に説明するために、本発明の前記実施形態を説明するために必要な添付の図面が次において簡単に紹介される。明らかに、以下説明における添付の図面は、本発明のいくつかの実施形態にすぎず、当業者は創造的な取り組み無しにこれらの添付の図面から他の図面を得ることも可能である。
【図面の簡単な説明】
【００２７】
【図１】図１は、本発明の実施形態に従うユーザ装置のために動作しているＲＲＵセットを選択するための方法の概略フローチャートである。
【図２】図２は、本発明の実施形態に従うユーザ装置のために動作しているＲＲＵセットを選択するための他の方法の概略フローチャートである。
【図３】図３は、本発明の実施形態に従うユーザ装置のために動作しているＲＲＵセットを選択するための他の方法の概略フローチャートである。
【図４】図４は、本発明の実施形態に従うユーザ装置のために動作しているＲＲＵセットを選択するための他の方法の概略フローチャートである。
【図５ａ】図５aは、本発明の実施形態に従う基地局の概略構造図である。
【図５ｂ】図５bは、本発明の実施形態に従う他の基地局の概略構造図である。
【図５ｃ】図５cは、本発明の実施形態に従う他の基地局の概略構造図である。
【図６】図６は、本発明の実施形態に従う他の基地局の概略構造図である。
【発明を実施するための形態】
【００２８】
本発明の実施形態における技術的ソリューションが、明確かつ完全に、本発明の実施形態において、添付の図面を参照しながら以下に説明される。明らかに、説明される実施形態は、本発明の実施形態のすべてではなく、一部分にすぎない。創造的な取り組みなしに本発明の実施形態に基づいて当業者によって得られる他のすべての実施形態は、本発明の保護範囲に含まれるものとする。
【００２９】
本発明は、ユーザ装置のために動作しているＲＲＵ(working RRU)を選択するための方法を提供し、
基地局が、ユーザ装置のためのセル内の全てのＲＲＵの測定情報値(measurement information value)をソーティングし、前記ユーザ装置の初期(initial)ＲＲＵセットを判別するステップと、
前記基地局が、前記ソーティングされたシーケンス(sorted sequence)における前記測定情報値に従って、前記ユーザ装置の現在のＲＲＵセットのアイソレーションを、前記初期ＲＲＵセットから始めて順序的(sequentially)に計算するステップと、
前記基地局が、前記ユーザ装置の現在のＲＲＵセットの前記アイソレーションがプリセットアイソレーションしきい値を満たすかどうかに従って、前記ソーティングされたシーケンスにおける前記測定情報値に対応するＲＲＵが、前記ユーザ装置の動作しているＲＲＵであるかどうかを順序的に判別するステップと、
を具備する。
【００３０】
本発明におけるアイソレーション計算方法において、ユーザ装置のための動作しているＲＲＵを選択することにより、リソース利用率と信号干渉とが効果的にバランスし、前記ユーザ装置の動作しているＲＲＵセットが正確に判別され得る。本発明の技術的ソリューションは、特定の実施形態を通じて以下に説明される。
【００３１】
［実施形態１］
図１は、本発明の実施形態に従って、ユーザ装置のために動作しているＲＲＵセットを選択するための方法のフローチャートである。図１に示されているように、前記方法は、この実施形態に従って、以下を含む。
【００３２】
ステップ１０１：基地局は、ユーザ装置のために、降順で、セル内の全てのＲＲＵの測定情報値をソーティングする。
【００３３】
前記セルは、単一の周波数ネットワーク(SFN:Single Frequency Network)セルであってよく、当業者により一般的に理解される通信セルであってもよい。前記測定情報値は、ＲＳＲＰであり、信号対干渉とノイズ比(SINR:Signal to Interference plus Noise Ratio)であってもよく、一定のＳＩＮＲ条件を満たすＲＳＲＰであってもよい。この実施形態においては、説明のための一例として、前記測定情報値は、ＲＳＲＰが採用されている。前記セル内の全てのＲＲＵのそれぞれは、前記ユーザ装置の信号に対するＲＳＲＰ測定値を有しており、前記基地局は、これら得られたＲＳＲＰを降順でソーティングする。
【００３４】
ステップ１０２：前記基地局は、最大の測定情報値に対応するＲＲＵを、前記ユーザ装置の初期の動作しているＲＲＵセットとして使用する。
【００３５】
すなわち、この実施形態において、少なくとも１つのＲＲＵが前記ユーザ装置のために動作する実際の状況に基づいて、初めに、前記ユーザ装置の動作しているＲＲＵセットは、最大のＲＳＲＰに対応するＲＲＵのみが含まれる。動作しているＲＲＵセット
【００３６】
ステップ１０３：前記基地局は、前記ソーティングされたシーケンスにおける前記測定情報値に従って、前記ユーザ装置の現在の動作しているＲＲＵセット(current working RRU set)のアイソレーションを、前記初期ＲＲＵセットから始めて順序的に計算する。
【００３７】
前記アイソレーションとは、前記ユーザ装置の前記現在の動作しているＲＲＵセットにおけるＲＲＵの測定情報値の合成値を変換することにより得られる等価測定値と、前記ユーザ装置の前記現在の動作しているＲＲＵセット以外のＲＲＵの測定情報値の合成値を変換することにより得られる等価測定値との差を指している。前記アイソレーションの計算の目的は、前記ユーザ装置のための動作しているＲＲＵと、他のＲＲＵとの信号強度差を測定することである。前記差が一定のしきい値を超えないならば、前記他のＲＲＵからの信号干渉がこの時点で強いことを示しており、前記他のＲＲＵを、動作しているＲＲＵとして選択する必要がある。前記差が一定のしきい値を超過するならば、前記他のＲＲＵからの信号干渉は弱いことを示しており、前記他のＲＲＵを、動作しているＲＲＵとして選択する必要はない。
【００３８】
この実施形態において、前記アイソレーションｇの計算方法は、
g ＝ 前記現在の動作しているＲＲＵセットにおけるＲＲＵの測定情報値の合成値を変換することにより得られる等価測定値 − 前記現在の動作しているＲＲＵセット以外のＲＲＵの測定情報値の合成値を変換することにより得られる等価測定値
のように表現されることができ、さらに、前記アイソレーションｇの計算方法は、
g ＝ ｆ（測定情報値(0), 測定情報値(1), ..., 測定情報値(m)) − f(測定情報値(m+1), 測定情報値(m+2), ..., 測定情報値(N-1)）
のように表現されることができ、ここで、ｇは、アイソレーションであり、Ｎは、前記セル内のすべてのＲＲＵの数であり、ｆは、測定情報値の合成値を等価測定値に変換するためのメソッド関数であり、現在計算されたアイソレーションは、前記ユーザ装置の動作しているＲＲＵセットが、降順にソーティングされたシーケンスにおける最初のｍ＋１個のＲＲＵである場合のアイソレーションである。
【００３９】
さらに、一例として、ＲＳＲＰを前記測定情報値とすることにより、前記アイソレーションを計算するための式は、
【００４０】
【数３】
0006299046.tif 000004
【００４１】
となりうる。ここで、ｇは、前記ユーザ装置の現在のＲＲＵセットのアイソレーションであり、Ｎは、前記セル内のすべてのＲＲＵの数であり、ｋは、ソーティング順におけるＲＲＵの番号であり、ＲＳＲＰｋは、ｋ番号の付いたＲＲＵのＲＳＲＰ値であり、前記ユーザ装置の現在のＲＲＵセットは、前記ソーティングされたシーケンスにおける最初のｍ＋１個のＲＲＵである。
【００４２】
ステップ１０４：前記現在の動作しているＲＲＵセットの前記アイソレーションがプリセットアイソレーションしきい値より小さいならば、前記基地局は、前記ソーティングされたシーケンスにおける次の測定情報値(next measurement information value)に対応するＲＲＵを、前記ユーザ装置の前記現在の動作しているＲＲＵセットに結合する。
【００４３】
例えば、前記セルに全部で５つのＲＲＵがあり、前記ユーザ装置のための測定情報値が降順でソーティングされ： ５，４，３，２，１ となり、前記ユーザ装置の前記現在の動作しているＲＲＵセットは、（５）である。前記現在の動作しているＲＲＵセットの前記アイソレーションがプリセットアイソレーションしきい値より小さいならば、前記ソーティングされたシーケンスにおける次の測定情報値に対応するＲＲＵ、すなわち、４は、前記ユーザ装置の前記現在の動作しているＲＲＵセットに結合される。
【００４４】
前記ユーザ装置の前記現在の動作しているＲＲＵセットの前記アイソレーションが、前記プリセットアイソレーションしきい値以上であるか、又はそれより大きいならば、又は、前記ソーティングされたシーケンスにおける最後の測定情報値に対応するＲＲＵが、前記ユーザの前記現在の動作しているＲＲＵセットに結合される場合には、前記基地局は、検証を停止する。先述の例において、前記ソーティングされたシーケンスにおける最後の測定情報値１が、動作しているセットに結合される場合には、前記基地局は、検証を停止する。
【００４５】
前記現在の動作しているＲＲＵセットの前記アイソレーションが、前記プリセットアイソレーションしきい値と等しいならば、前記基地局は、前記ソーティングされたシーケンスにおける前記次の測定情報値に対応するＲＲＵを、前記動作しているＲＲＵセットに結合するか、又は検証を停止するかのどちらかでありうる。
【００４６】
前記アイソレーションしきい値は、実際の状況にしたがって、例えば、１０ｄＢとセットされ得る。
【００４７】
ステップ１０５：前記基地局は、計算されたアイソレーションが、前記プリセットアイソレーションしきい値以上になるまで、ステップ１０３からステップ１０４を繰り返し実行する。
【００４８】
この実施形態において、ユーザ装置の現在の動作しているＲＲＵセットのアイソレーションをプリセットアイソレーションしきい値と比較すること、及び前記プリセットアイソレーションしきい値を満たすＲＲＵを、前記ユーザ装置の前記現在の動作しているＲＲＵセットに結合することにより、リソース利用率と信号干渉とが効果的にバランスされ、前記ユーザ装置の動作しているＲＲＵセットが正確に判別されることができる。
【００４９】
［実施形態２］
図２は、本発明の実施形態に従う、ユーザ装置のために動作しているＲＲＵセットを選択するための他の方法のフローチャートである。図２に示されているように、この実施形態に従う前記方法は、次を含む。
【００５０】
ステップ２０１：基地局は、ユーザ装置のためのセル内の全てのＲＲＵの測定情報値を、昇順で、ソーティングする。
【００５１】
このステップは、ステップ１０１とほぼ同じであり、違いは、前記ユーザ装置のための前記測定情報値が、異なる順でソーティングされることである。
【００５２】
ステップ２０２：前記基地局は、前記セル内の全てのＲＲＵを、前記ユーザ装置の初期の動作しているＲＲＵセットとして使用する。
【００５３】
すなわち、この実施形態において、初めに、前記ユーザ装置の動作しているＲＲＵセットは、前記セル内の全てのＲＲＵを含んでいる。
【００５４】
ステップ２０３：前記基地局は、前記ソーティングされたシーケンスにおける前記測定情報値に従って、前記ユーザ装置の現在の動作しているＲＲＵセットのアイソレーションを、前記初期の動作しているＲＲＵセットから始めて計算する。
【００５５】
このステップは、ステップ１０３とほぼ同じであり、違いは、前記基地局は、前記アイソレーションを、異なる順で計算することである。
【００５６】
この実施形態において、前記アイソレーションｇを計算するための方法は、
ｇ ＝ 前記現在の動作しているＲＲＵセットにおけるＲＲＵの測定情報値の合成値を変換することにより得られる等価測定値 − 前記現在の動作しているＲＲＵセット以外のＲＲＵの測定情報値の合成値を変換することにより得られる等価測定値
と表現されることができ、さらに、前記アイソレーションｇを計算するための方法は、
ｇ ＝ ｆ（測定情報値(0), 測定情報値(1), ..., 測定情報値(m)) − ｆ（測定情報値(m+1), 測定情報値(m+2), ..., 測定情報値(N-1)）
と表現されることができ、ここで、ｇは、アイソレーションであり、Ｎは、前記セル内のすべてのＲＲＵの数であり、ｆは、測定情報値の合成値を等価測定値に変換するためのメソッド関数であり、現在計算されたアイソレーションは、前記ユーザ装置の動作しているＲＲＵセットが、昇順でソーティングされたシーケンスにおける最初のｍ＋１個のＲＲＵである場合のアイソレーションである。
【００５７】
さらに、一例としてＲＳＲＰを前記測定情報値とすることにより、前記アイソレーションを計算するための式は、
【００５８】
【数４】
0006299046.tif 000005
【００５９】
となり得る。ここで、ｇは、前記ユーザ装置の現在のＲＲＵセットのアイソレーションであり、Ｎは、前記セル内のすべてのＲＲＵの数であり、ｋは、ソーティング順におけるＲＲＵの番号であり、ＲＳＲＰｋは、ｋ番号の付いたＲＲＵのＲＳＲＰ値であり、前記ユーザ装置の現在のＲＲＵセットは、前記ソーティングされたシーケンスにおける最初のｍ＋１個のＲＲＵである。
【００６０】
ステップ２０４：前記現在の動作しているＲＲＵセットの前記アイソレーションが、プリセットアイソレーションしきい値より大きいならば、前記基地局は、前記ユーザ装置の前記現在の動作しているＲＲＵセットにおける最小の測定情報値に対応するＲＲＵを、前記ユーザ装置の前記現在の動作しているＲＲＵセットから取り除く。
【００６１】
前記現在の動作しているＲＲＵセットの前記アイソレーションが、前記プリセットアイソレーションしきい値より小さいならば、又は、前記ソーティングされたシーケンスにおける最後の測定情報値に対応するＲＲＵのみが、前記ユーザ装置の前記現在の動作しているＲＲＵセットに残っている場合には、前記基地局は、検証を停止する。前記アイソレーションが、前記プリセットアイソレーションしきい値と等しいならば、前記基地局は、前記ユーザ装置の前記現在の動作しているＲＲＵセットから、前記ユーザ装置の前記現在の動作しているＲＲＵセットにおける前記最小の測定情報値に対応するＲＲＵを取り除くか、又は検証を停止するかのどちらかでありうる。
【００６２】
前記アイソレーションしきい値は、実際の状況に応じて、例えば１０ｄＢにセットされうる。
【００６３】
ステップ２０５：前記基地局は、アイソレーションの計算が、前記プリセットアイソレーションしきい値以下となるまで、ステップ２０３からステップ２０４を繰り返し実行する。
【００６４】
この実施形態において、ユーザ装置の現在の動作しているＲＲＵセットのアイソレーションを、プリセットアイソレーションしきい値と比較することにより、及び前記ユーザ装置の前記現在の動作しているＲＲＵセットから、前記プリセットアイソレーションしきい値を満たすＲＲＵを取り除くことにより、リソース利用率と信号干渉とが効率的にバランスされ、前記ユーザ装置の動作しているＲＲＵセットが正確に判別されることができる。
【００６５】
［実施形態３］
図３は、本発明の実施形態に従う、ユーザ装置のために動作しているＲＲＵセットを選択するための他の方法のフローチャートである。図３に示されているように、この実施形態は、実施形態１及び２とは異なり、この実施形態においては、ユーザ装置の動作していないＲＲＵセット(non-working RRU Set)がまず取得され、その後動作しているＲＲＵセットが、前記動作していないＲＲＵセットの補集合を計算することにより取得される。前記方法は、以下を含む。
【００６６】
ステップ３０１：基地局は、ユーザ装置のためのセル内の全てのＲＲＵの測定情報値を昇順でソーティングする。
【００６７】
このステップは、ステップ１０１とほぼ同じであり、違いは、前記ユーザ装置のための前記測定情報値は、異なる順でソーティングされることである。
【００６８】
ステップ３０２：前記基地局は、動作していない前記ユーザ装置の初期ＲＲＵセットとして、ヌルセットを使用する。
【００６９】
すなわち、この実施形態において、初めに、前記ユーザ装置の動作していないＲＲＵセットは、ＲＲＵを含んでいない。
【００７０】
ステップ３０３：前記基地局は、前記ソーティングされたシーケンスにおける前記測定情報値に従って、前記ユーザ装置の現在の動作していないＲＲＵセットのアイソレーションを、前記初期動作していないＲＲＵセットから始めて計算する。
【００７１】
このステップにおいて、前記アイソレーションを計算するための方法は、ステップ１０３におけるのと同じであり、違いは、前記基地局は、前記アイソレーションを昇順で計算するということであり、計算された前記アイソレーションは、前記現在の動作していないＲＲＵセットの前記アイソレーションである。
【００７２】
この実施形態において、前記アイソレーションｇを計算するための方法は、
ｇ ＝ 前記現在の動作していないＲＲＵセットにおけるＲＲＵの測定情報値の合成値を変換して得られる等価測定値 − 前記現在の動作していないＲＲＵセット以外のＲＲＵの測定情報値の合成値を変換することにより得られる等価測定値
と表現することができ、さらに、前記アイソレーションｇを計算するための方法は、
ｇ ＝ ｆ（測定情報値(0), 測定情報値(1), ..., 測定情報値(m)) − ｆ（測定情報値(m+1), 測定情報値(m+2), ..., 測定情報値(N-1)）
と表現することができ、ここで、ｇは、アイソレーションであり、Ｎは、前記セル内のすべてのＲＲＵの数であり、ｆは、測定情報値の合成値を等価測定値に変換するためのメソッド関数であり、現在計算されたアイソレーションは、前記ユーザ装置の前記動作していないＲＲＵセットが、昇順にソーティングされたシーケンスにおける最初のｍ＋１個のＲＲＵである場合のアイソレーションである。
さらに、一例としてＲＳＲＰを前記測定情報値としたことにより、前記アイソレーションを計算するための式は、
【００７３】
【数５】
0006299046.tif 000006
【００７４】
であり得る。ここで、ｇは、前記ユーザ装置の現在のＲＲＵセットのアイソレーションであり、Ｎは、前記セル内のすべてのＲＲＵの数であり、ｋは、ソーティング順におけるＲＲＵの番号であり、ＲＳＲＰｋは、ｋ番号の付いたＲＲＵのＲＳＲＰ値であり、前記ユーザ装置の現在のＲＲＵセットは、前記ソーティングされたシーケンスにおける最初のｍ＋１個のＲＲＵである。
【００７５】
ステップ３０４：前記現在の動作していないＲＲＵセットの前記アイソレーションが、プリセットアイソレーションしきい値より大きいならば、前記基地局は、前記ソーティングされたシーケンスにおける次の測定情報値に対応するＲＲＵを、前記動作していないＲＲＵセットに結合する。
【００７６】
前記現在の動作しているＲＲＵセットの前記アイソレーションが、前記プリセットアイソレーションしきい値未満であるならば、又は、前記ソーティングされたシーケンスにおいて、次の測定情報値から最後の測定情報値に対応するＲＲＵが、前記ユーザ装置の前記現在の動作していないＲＲＵセットに結合される場合には、前記基地局は、検証を停止する。前記現在の動作しているＲＲＵセットの前記アイソレーションが、前記プリセットアイソレーションしきい値と等しいならば、前記基地局は、前記ソーティングされたシーケンスにおける前記次の測定情報値に対応するＲＲＵを、前記動作していないＲＲＵセットに結合するか、又は、検証を停止するかのどちらかになりうる。
【００７７】
ステップ３０５：前記基地局は、計算されたアイソレーションが、前記プリセットアイソレーションしきい値以下となるまで、ステップ３０３から３０４を繰り返し実行する。
【００７８】
ステップ３０６：前記ユーザ装置の動作していないＲＲＵセットを取得した後、前記基地局は、前記動作していないＲＲＵセットの補集合を計算することにより、前記ユーザ装置の動作しているＲＲＵセットを取得する。
【００７９】
この実施形態において、ユーザ装置の現在の動作していないＲＲＵセットのアイソレーションを、プリセットアイソレーションしきい値と比較すること、前記プリセットアイソレーションしきい値を満たすＲＲＵを、前記ユーザ装置の前記現在の動作していないＲＲＵセットに結合すること、及び前記動作していないセットの補集合を計算し、前記ユーザ装置の動作しているＲＲＵセットを取得することにより、リソース利用率と信号干渉とが効果的にバランスし、前記ユーザ装置の動作しているＲＲＵセットが正確に判別されうる。
【００８０】
［実施形態４］
図４は、本発明の実施形態に従う、ユーザ装置のために動作しているＲＲＵセットを選択するための他の方法のフローチャートである。図４に示されているように、この実施形態は、実施形態１及び２とは異なり、この実施形態において、ユーザ装置の動作していないＲＲＵセットが、まず取得され、その後、動作しているＲＲＵセットは、前記動作していないＲＲＵセットの補集合を計算することにより、取得される。
【００８１】
ステップ４０１：基地局は、ユーザ装置のためのセル内の全てのＲＲＵの測定情報値を降順でソーティングする。
【００８２】
このステップは、ステップ１０１と同じである。
【００８３】
ステップ４０２：前記基地局は、動作していない前記ユーザ装置の初期ＲＲＵセットとして、最大の測定情報値に対応するＲＲＵ以外の前記セル内のすべてのＲＲＵのセットを使用する。
【００８４】
すなわち、この実施形態において、初めに、前記ユーザ装置の動作していないＲＲＵセットは、前記最大の測定情報値に対応するＲＲＵ以外の前記セル内の全てのＲＲＵを含む。
【００８５】
ステップ４０３：前記基地局は、前記ソーティングされたシーケンスにおける前記測定情報値に従って、前記ユーザ装置の現在の動作していないＲＲＵセットのアイソレーションを、前記初期動作していないＲＲＵセットから始めて計算する。
【００８６】
このステップにおいて、前記アイソレーションを計算するための方法は、ステップ１０３と同じであり、違いは、前記基地局により計算される前記アイソレーションは、前記現在の動作していないＲＲＵセットの前記アイソレーションであることである。
【００８７】
この実施形態において、前記アイソレーションｇを計算するための方法は、
ｇ ＝ 前記現在の動作していないＲＲＵセットにおけるＲＲＵの測定情報値の合成値を変換して得られる等価測定値 − 前記現在の動作していないＲＲＵセット以外のＲＲＵの測定情報値の合成値を変換することにより得られる等価測定値
と表現されることができ、さらに、前記アイソレーションｇを計算するための前記方法は、
ｇ ＝ ｆ（測定情報値(0), 測定情報値(1), ..., 測定情報値(m)) − ｆ（測定情報値(m+1), 測定情報値(m+2), ..., 測定情報値(N-1)）
と表現されることができ、ここで、ｇは、アイソレーションであり、Ｎは、前記セル内のすべてのＲＲＵの数であり、ｆは、測定情報値の合成値を等価測定値に変換するためのメソッド関数であり、現在計算されたアイソレーションは、前記ユーザ装置の前記動作していないＲＲＵセットが、降順でソーティングされたシーケンスにおける最初のｍ＋１個のＲＲＵである場合のアイソレーションである。
【００８８】
さらに、一例として、ＲＳＲＰを前記測定情報値としたことにより、前記アイソレーションの計算方法は、
【００８９】
【数６】
0006299046.tif 000007
【００９０】
であり得る。ここで、ｇは、前記ユーザ装置の現在のＲＲＵセットのアイソレーションであり、Ｎは、前記セル内のすべてのＲＲＵの数であり、ｋは、ソーティング順におけるＲＲＵの番号であり、ＲＳＲＰｋは、ｋ番号の付いたＲＲＵのＲＳＲＰ値であり、前記ユーザ装置の現在のＲＲＵセットは、前記ソーティングされたシーケンスにおける最初のｍ＋１個のＲＲＵである。
【００９１】
ステップ４０４：前記現在の動作していないＲＲＵセットの前記アイソレーションが、プリセットアイソレーションしきい値より小さければ、前記基地局は、前記ユーザ装置の前記現在の動作していないＲＲＵセットから、前記ユーザ装置の前記現在の動作していないＲＲＵセットにおける最大の測定情報値に対応するＲＲＵを取り除く。
【００９２】
前記現在の動作していないＲＲＵセットの前記アイソレーションが、前記プリセットアイソレーションしきい値より大きいならば、又は、前記ソーティングされたシーケンスにおける最後の測定情報値に対応するＲＲＵだけが、前記ユーザ装置の前記現在の動作していないＲＲＵセット内に残っている場合には、前記基地局は、検証を停止する。前記現在の動作していないＲＲＵセットの前記アイソレーションが、前記プリセットアイソレーションしきい値と等しければ、前記基地局は、前記ユーザ装置の前記現在の動作していないＲＲＵセットから、前記ユーザ装置の前記現在の動作していないＲＲＵセットにおける前記最大の測定情報値に対応するＲＲＵを取り除くか、又は、検証を停止するか、のどちらかでありうる。
前記アイソレーションしきい値は、実際の状況に応じて、例えば、１０ｄＢとセットされうる。
【００９３】
ステップ４０５：前記基地局は、計算されたアイソレーションが、前記プリセットアイソレーションしきい値以上となるまで、ステップ４０３からステップ４０４を繰り返し実行する。
【００９４】
ステップ４０６：前記ユーザ装置の動作していないＲＲＵセットを取得した後、前記基地局は、前記動作していないＲＲＵセットの補集合を計算することにより、前記ユーザ装置の動作しているＲＲＵセットを取得する。
【００９５】
この実施形態において、ユーザ装置の現在の動作していないＲＲＵセットのアイソレーションをプリセットアイソレーションしきい値と比較すること、前記ユーザ装置の前記現在の動作していないＲＲＵセットから、前記プリセットアイソレーションしきい値を満たすＲＲＵを取り除くこと、前記動作していないセットの補集合を計算し、前記ユーザ装置の動作しているＲＲＵセットを取得することにより、リソース利用率と信号干渉とが効率的にバランスされ、前記ユーザ装置の動作しているＲＲＵセットは、正確に判別されうる。
【００９６】
［実施形態５］
図５aは、本発明の実施形態に従う、ユーザ装置のための動作しているＲＲＵを選択するための基地局を示している。図に示されているように、前記基地局は、
ユーザ装置のためのセル内の全てのＲＲＵの測定情報値をソーティングするように構成されている処理モジュール５１と、
前記ユーザ装置の初期ＲＲＵセットを判別するように構成されている初期化モジュール５２と、
前記ソーティングされたシーケンスにおける前記測定情報値に従って、前記ユーザ装置の現在のＲＲＵセットのアイソレーションを、前記初期ＲＲＵセットから始めて順序的に計算するように構成されている検証モジュール５３と、
前記ユーザ装置の現在のＲＲＵセットの前記アイソレーションがプリセットアイソレーションしきい値を満たすかどうかに従って、前記ソーティングされたシーケンスにおける前記測定情報値に対応するＲＲＵが、前記ユーザ装置の動作しているＲＲＵであるかどうかを順序的に判別するように構成されている選択モジュール５４と、
を含む。
【００９７】
この実施形態は、
前記ソーティングするステップは、降順のソーティングであり、
前記ＲＲＵセットは、動作しているＲＲＵセットであり、前記初期ＲＲＵセットは、初期の動作しているＲＲＵセットであり、
前記初期化モジュールは、前記ユーザ装置の前記初期の動作しているＲＲＵセットとして、最大の測定情報値に対応するＲＲＵを使用するように特に構成されており、
前記選択モジュールは、前記ユーザ装置の現在の動作しているＲＲＵセットのアイソレーションが、前記プリセットアイソレーションしきい値より小さいか、又はそれ以下であるならば、前記基地局が、前記ソーティングされたシーケンスにおける次の測定情報値に対応するＲＲＵを、前記ユーザ装置の前記現在の動作しているＲＲＵセットに結合し、前記ユーザ装置の現在の動作しているＲＲＵセットのアイソレーションの計算を継続し、前記ユーザ装置の前記現在の動作しているＲＲＵセットの前記アイソレーションが、前記プリセットアイソレーションしきい値以上であるか、又はそれより大きいならば、又は、前記ソーティングされたシーケンスにおける最後の測定情報値に対応するＲＲＵが、前記ユーザの前記現在の動作しているＲＲＵセットに結合される場合には、前記基地局が、検証を停止するように特に構成されている、
ことをさらに含む。
【００９８】
オプションとして、この実施形態は、
前記ソーティングするステップは、昇順のソーティングであり、
前記ＲＲＵセットは、動作しているＲＲＵセットであり、前記初期ＲＲＵセットは、初期の動作しているＲＲＵセットであり、
前記初期化モジュールは、前記セル内のすべてのＲＲＵのセットを前記ユーザ装置の前記初期の動作しているＲＲＵセットとして使用するように特に構成されており、
前記選択モジュールは、前記ユーザ装置の現在の動作しているＲＲＵセットのアイソレーションが、前記プリセットアイソレーションしきい値よりも大きいか、又はそれ以上であるならば、前記基地局が、前記ユーザ装置の前記現在の動作しているＲＲＵセットにおける最小の測定情報値に対応するＲＲＵを、前記ユーザ装置の前記現在の動作しているＲＲＵセットから削除し、前記ユーザ装置の現在の動作しているＲＲＵセットのアイソレーションの計算を継続し、前記ユーザ装置の前記現在の動作しているＲＲＵセットの前記アイソレーションが、前記プリセットアイソレーションしきい値未満であるか、又はそれより小さいならば、又は、前記ソーティングされたシーケンスにおける最後の測定情報値に対応するＲＲＵのみが、前記ユーザ装置の前記現在の動作しているＲＲＵセットに残っている場合には、前記基地局が、検証を停止するように特に構成されている、
ことをさらに含む。
【００９９】
オプションとして、この実施形態は、
前記ソーティングするステップは、昇順のソーティングであり、
前記ＲＲＵセットは、動作していないＲＲＵセットであり、前記初期ＲＲＵセットは、動作していない初期ＲＲＵセットであり、
前記初期化モジュールは、ヌルセットを、動作していない前記ユーザ装置の初期ＲＲＵセットとして使用するように特に構成され、
前記選択モジュールは、前記ユーザ装置の現在の動作していないＲＲＵセットのアイソレーションが、前記プリセットアイソレーションしきい値より大きいか、又は以上であるならば、前記基地局が、前記ソーティングされたシーケンスにおける次の測定情報値に対応するＲＲＵを、前記ユーザ装置の前記現在の動作していないＲＲＵセットに結合し、前記ユーザ装置の現在の動作していないＲＲＵセットのアイソレーションの計算を継続し、前記ユーザ装置の前記現在の動作していないＲＲＵセットの前記アイソレーションが、前記プリセットアイソレーションしきい値以下であるか、又はそれより小さいならば、又は、前記ソーティングされたシーケンスにおいて、次の測定情報値から最後の測定情報値に対応するＲＲＵが、前記ユーザ装置の前記現在の動作していないＲＲＵセットに結合される場合には、前記基地局が、検証を停止するように特に構成され、
前記基地局は、前記ユーザ装置の前記動作していないＲＲＵセットの補集合を計算し、前記ユーザ装置の動作しているＲＲＵセットを取得するように構成されている計算モジュール５５をさらに含む、
ことをさらに含む。
【０１００】
オプションとして、この実施形態は、
前記ソーティングするステップは、降順のソーティングであり、
前記ＲＲＵセットは、動作していないＲＲＵセットであり、前記初期ＲＲＵセットは、動作していない初期ＲＲＵセットであり、
前記初期化モジュールは、動作していない前記ユーザ装置の初期ＲＲＵセットとして、最大の測定情報値に対応するＲＲＵ以外の前記セル内のすべてのＲＲＵのセットを使用するように特に構成されており、
前記選択モジュールは、前記ユーザ装置の現在の動作していないＲＲＵセットのアイソレーションが前記プリセットアイソレーションしきい値より小さいか、又は以下であるならば、前記基地局が、前記ユーザ装置の前記現在の動作していないＲＲＵセットから、前記ユーザ装置の前記現在の動作していないＲＲＵセットにおける最大の測定情報値に対応するＲＲＵを取り除き、前記ユーザ装置の現在の動作していないＲＲＵセットのアイソレーションの計算を継続し、前記ユーザ装置の前記現在の動作していないＲＲＵセットの前記アイソレーションが、前記プリセットアイソレーションしきい値以上であるか、又はより大きいならば、又は、前記ソーティングされたシーケンスにおける最後の測定情報値に対応するＲＲＵだけが、前記ユーザ装置の前記現在の動作していないＲＲＵセット内に残っている場合には、前記基地局が、検証を停止するように特に構成され、
前記基地局は、前記ユーザ装置の前記動作していないＲＲＵセットの補集合を計算し、前記ユーザ装置の動作しているＲＲＵセットを取得するように構成されている計算モジュール５５をさらに含む、
ことをさらに含む。
【０１０１】
オプションとして、この実施形態において、前記測定情報値は、次の内の１つ又はその組み合わせである：参照信号受信電力(RSRP)と、信号対干渉と雑音比(SINR)。
【０１０２】
オプションとして、この実施形態において、前記測定情報値は、参照信号受信電力(RSRP)であり、一例として、ＲＳＲＰを前記測定情報値とすることにより、前記基地局は、以下の式に従って、前記ユーザ装置の現在のＲＲＵセットの前記アイソレーションを計算する：
【０１０３】
【数７】
0006299046.tif 000008
【０１０４】
ここで、ｇは、前記ユーザ装置の現在のＲＲＵセットのアイソレーションであり、Ｎは、前記セル内のすべてのＲＲＵの数であり、ｋは、ソーティング順におけるＲＲＵの番号であり、ＲＳＲＰｋは、ｋ番号の付いたＲＲＵのＲＳＲＰ値であり、前記ユーザ装置の現在のＲＲＵセットは、前記ソーティングされたシーケンスにおける最初のｍ＋１個のＲＲＵである。
【０１０５】
オプションとして、この実施形態に従う前記基地局におけるモジュール間の論理接続関係も図５ｂ又は図５cに示されているが、この実施形態において、再び説明はしない。
【０１０６】
［実施形態６］
図６は、本発明の実施形態に従うユーザ装置のための動作しているＲＲＵを選択するための基地局を示している。図に示されているように、前記基地局は、
ユーザ装置のための動作しているＲＲＵを選択する基地局のための処理コードを格納するように構成されているメモリ６１と、
前記ユーザ装置のためのセル内の全てのＲＲＵの測定情報値をソーティングし、
前記ユーザ装置の初期ＲＲＵセットを判別し、
前記ソーティングされたシーケンスにおける前記測定情報値に従って、前記ユーザ装置の現在のＲＲＵセットのアイソレーションを、前記初期ＲＲＵセットから始めて順序的に計算し、
前記ユーザ装置の現在のＲＲＵセットの前記アイソレーションが、プリセットアイソレーションしきい値を満たすかどうかに従って、前記ソーティングされたシーケンスにおける前記測定情報値に対応するＲＲＵが、前記ユーザ装置の動作しているＲＲＵであるかどうかを順序的に判別するように構成されているプロセッサ６２と、
を含む。
【０１０７】
この実施形態は、
前記ソーティングするステップは、降順のソーティングであり、
前記ＲＲＵセットは、動作しているＲＲＵセットであり、前記初期ＲＲＵセットは、初期の動作しているＲＲＵセットであり、
前記初期化モジュールは、前記ユーザ装置の前記初期の動作しているＲＲＵセットとして、最大の測定情報値に対応するＲＲＵを使用するように特に構成されており、
前記選択モジュールは、前記ユーザ装置の現在の動作しているＲＲＵセットのアイソレーションが、前記プリセットアイソレーションしきい値より小さいか、又はそれ以下であるならば、前記基地局が、前記ソーティングされたシーケンスにおける次の測定情報値に対応するＲＲＵを、前記ユーザ装置の前記現在の動作しているＲＲＵセットに結合し、前記ユーザ装置の現在の動作しているＲＲＵセットのアイソレーションの計算を継続し、前記ユーザ装置の前記現在の動作しているＲＲＵセットの前記アイソレーションが、前記プリセットアイソレーションしきい値以上であるか、又はそれより大きいならば、又は、前記ソーティングされたシーケンスにおける最後の測定情報値に対応するＲＲＵが、前記ユーザの前記現在の動作しているＲＲＵセットに結合される場合には、前記基地局が、検証を停止するように特に構成されている、
ことをさらに含む。
【０１０８】
オプションとして、この実施形態は、
前記ソーティングするステップは、昇順のソーティングであり、
前記ＲＲＵセットは、動作しているＲＲＵセットであり、前記初期ＲＲＵセットは、初期の動作しているＲＲＵセットであり、
前記初期化モジュールは、前記セル内のすべてのＲＲＵのセットを前記ユーザ装置の前記初期の動作しているＲＲＵセットとして使用するように特に構成され、
前記選択モジュールは、前記ユーザ装置の現在の動作しているＲＲＵセットのアイソレーションが、前記プリセットアイソレーションしきい値よりも大きいか、又はそれ以上であるならば、前記基地局が、前記ユーザ装置の前記現在の動作しているＲＲＵセットにおける最小の測定情報値に対応するＲＲＵを、前記ユーザ装置の前記現在の動作しているＲＲＵセットから取り除き、前記ユーザ装置の現在の動作しているＲＲＵセットのアイソレーションの計算を継続し、前記ユーザ装置の前記現在の動作しているＲＲＵセットの前記アイソレーションが、前記プリセットアイソレーションしきい値未満であるか、又はそれより小さいならば、又は、前記ソーティングされたシーケンスにおける最後の測定情報値に対応するＲＲＵのみが、前記ユーザ装置の前記現在の動作しているＲＲＵセットに残っている場合には、前記基地局が、検証を停止するように特に構成されている、
ことをさらに含む。
【０１０９】
オプションとして、この実施形態は、
前記ソーティングするステップは、昇順のソーティングであり、
前記ＲＲＵセットは、動作していないＲＲＵセットであり、前記初期ＲＲＵセットは、動作していない初期ＲＲＵセットであり、
前記初期化モジュールは、ヌルセットを、動作していない前記ユーザ装置の初期ＲＲＵセットとして使用するように特に構成され、
前記選択モジュールは、前記ユーザ装置の現在の動作していないＲＲＵセットのアイソレーションが、前記プリセットアイソレーションしきい値より大きいか、又は以上であるならば、前記基地局が、前記ソーティングされたシーケンスにおける次の測定情報値に対応するＲＲＵを、前記ユーザ装置の前記現在の動作していないＲＲＵセットに結合し、前記ユーザ装置の現在の動作していないＲＲＵセットのアイソレーションの計算を継続し、前記ユーザ装置の前記現在の動作していないＲＲＵセットの前記アイソレーションが、前記プリセットアイソレーションしきい値以下であるか、又はそれより小さいならば、又は、前記ソーティングされたシーケンスにおいて、次の測定情報値から最後の測定情報値に対応するＲＲＵが、前記ユーザ装置の前記現在の動作していないＲＲＵセットに結合される場合には、前記基地局が、検証を停止するように特に構成され、
前記基地局は、前記ユーザ装置の前記動作していないＲＲＵセットの補集合を計算し、前記ユーザ装置の動作しているＲＲＵセットを取得するように構成されている計算モジュール５５をさらに含む、
ことをさらに含む。
【０１１０】
オプションとして、この実施形態は、
前記ソーティングするステップは、降順のソーティングであり、
前記ＲＲＵセットは、動作していないＲＲＵセットであり、前記初期ＲＲＵセットは、動作していない初期ＲＲＵセットであり、
前記初期化モジュールは、最大の測定情報値に対応するＲＲＵ以外の前記セル内のすべてのＲＲＵのセットを、動作していない前記ユーザ装置の初期ＲＲＵセットとして使用するように特に構成され、
前記選択モジュールは、前記ユーザ装置の現在の動作していないＲＲＵセットのアイソレーションが前記プリセットアイソレーションしきい値より小さいか、又は以下であるならば、前記基地局が、前記ユーザ装置の前記現在の動作していないＲＲＵセットから、前記ユーザ装置の前記現在の動作していないＲＲＵセットにおける最大の測定情報値に対応するＲＲＵを取り除き、前記ユーザ装置の現在の動作していないＲＲＵセットのアイソレーションの計算を継続し、前記ユーザ装置の前記現在の動作していないＲＲＵセットの前記アイソレーションが、前記プリセットアイソレーションしきい値以上であるか、又はより大きいならば、又は、前記ソーティングされたシーケンスにおける最後の測定情報値に対応するＲＲＵだけが、前記ユーザ装置の前記現在の動作していないＲＲＵセット内に残っている場合には、前記基地局が、検証を停止するように特に構成され、
前記基地局は、前記ユーザ装置の前記動作していないＲＲＵセットの補集合を計算し、前記ユーザ装置の動作しているＲＲＵセットを取得するように構成されている計算モジュール５５をさらに含む、
ことをさらに含む。
【０１１１】
オプションとして、この実施形態において、前記測定情報値は、次の内の１つ又はその組み合わせである：参照信号受信電力(RSRP)と、信号対干渉と雑音比(SINR)。
【０１１２】
オプションとして、この実施形態において、前記測定情報値は、参照信号受信電力(RSRP)であり、一例としてＲＳＲＰを前記測定情報値とすることにより、前記基地局は、前記ユーザ装置の現在のＲＲＵセットの前記アイソレーションを以下の式に従って計算する：
【０１１３】
【数８】
0006299046.tif 000009
【０１１４】
ここで、ｇは、前記ユーザ装置の現在のＲＲＵセットのアイソレーションであり、Ｎは、前記セル内のすべてのＲＲＵの数であり、ｋは、ソーティング順におけるＲＲＵの番号であり、ＲＳＲＰｋは、ｋ番号の付いたＲＲＵのＲＳＲＰ値であり、前記ユーザ装置の現在のＲＲＵセットは、前記ソーティングされたシーケンスにおける最初のｍ＋１個のＲＲＵである。
【０１１５】
前記本明細書で開示された実施形態において説明されているそれぞれの例のユニット及びアルゴリズムステップは、電子的ハードウェア、コンピュータソフトウェア、又はその２つの組み合わせにより実施されることができることは、当業者であれば理解し得る。ハードウェアとソフトウェアとの間の互換性を明確に説明するために、各実施例の構成及びステップが前述の説明における機能に従って一般に説明されている。これらの機能がハードウェア又はソフトウェアの方法で実行されているかどうかは、特定のアプリケーション及び技術的ソリューションの設計制約条件にい依存する。当業者は、各特定のアプリケーションのために説明した機能を実施する異なる方法を使用し得るが、そのような実施は、本発明の範囲を超えていると考えるべきではない。
【０１１６】
便利かつ簡便な説明の目的ために、先述のシステム、装置、及びユニットの詳細なワーキングプロセスのための、方法の実施形態における対応する処理を参照して、当業者に明確に理解され得るため、ここでは再び説明しない。
【０１１７】
本発明において提供されるいくつかの実施形態において、開示されたシステム、装置、及び方法は、他の方法によっても実施され得ることは理解し得る。例えば、説明された装置の実施形態は、単に例示である。例えば、ユニットの区分は、単なる論理的機能区分であり、実際の実装においては他の区分であってもよい。例えば、複数のユニット又は要素は、他のシステムと組み合わせたり統合されたりしてもよく、又はいくつかの特徴は無視又は実行されなくてもよい。加えて、提示された、又は論じられた結合又は直接結合又は通信接続は、いくつかのインターフェースを通じて達成され、装置又はユニット間の間接的な結合または通信接続は、電気的、機械的、又は他の形式であってよい。
【０１１８】
アイソレーションされた要素として説明されたユニットは、物理的にアイソレーションされていてもされていなくてもよい。ユニットとして提示された要素は、物理的なユニットであってもなくてもよく、即ち、一つの場所に配置されても、又は多数のネットワークユニットに分散されてもよい。いくつか又はすべてのモジュールは、本発明の実施形態におけるソリューションの目的を達成するために実際の要求に従って選択されてよい。
【０１１９】
加えて、本発明の各実施形態による種々の機能ユニットは、一つの処理ユニットに統合されることができ、又は種々の個別の物理的なユニットとして存在してもよく、または、２以上のユニットが１つのユニットに統合されてもよい。統合されたユニットは、ハードウェア様式において実装されてよく、又はソフトウェア機能モジュールの形式において実装されてもよい。
【０１２０】
統合されたユニットが、ソフトウェア機能ユニットの形式において実装され、個別の製品として販売又は使用される場合、統合されたユニットは、コンピュータ読み取り可能な記録媒体内に格納され得る。そのような理解に基づき、本発明の技術的ソリューションの大部分又は従来技術に貢献する一部又は技術的ソリューションの全て又は一部は、ソフトウェア製品の形式において具体化され得る。前記コンピュータソフトウェア製品は、格納媒体内に格納され、コンピュータデバイス(パーソナルコンピュータ、サーバ、又はネットワークデバイスでありうる)に、本発明の実施形態において説明された方法のステップの全部又は一部を実行するように指示するために使用されるいくつかの命令を含んでいる。前記格納媒体は、ＵＳＢフラッシュディスク、モバイルハードディスク、読み取り専用メモリ(ROM:Read-Only Memory)、ランダムアクセスメモリ(RAM:Random Access Memory)、磁気ディスク、又は光学ディスクなどのプログラムコードを格納できる種々の媒体を含む。
【０１２１】
本発明の実施形態における技術的ソリューションは、ロング・ターム・エボリューション (Long Term Evolution、「ＬＴＥ」と称される)システム、ＬＴＥ周波数分割多重(Frequency Division Duplex、「ＦＤＤ」と称される)システム、ＬＴＥ時分割多重(Time Division Duplex、「ＴＤＤ」と称される)システム、ユニバーサル・モバイル・テレコミュニケーション・システム(Universal Mobile Telecommunication System、「ＵＭＴＳ」と称される)、ワールドワイド・インターオペラビリティ・フォー・マイクロウェーブ・アクセス(Worldwide Interoperability for Microwave Access、「ＷｉＭａｘ」と称される)通信システム、マイクロ波通信システム、及び類似したものに適応できることを理解すべきである。
【０１２２】
前述の説明は単に本発明の特定の実施形態であり、本発明の保護範囲を限定するものではない。本発明において開示された技術的範囲内で当業者により容易に考え出されるは、本発明の保護範囲に入るものとする。したがって、本発明の保護範囲は、特許請求の範囲の保護範囲に従うものとする。
【符号の説明】
【０１２３】
５１  処理モジュール
５２  初期化モジュール
５３  検証モジュール
５４  選択モジュール
５５  計算モジュール
６１  メモリ
６２  プロセッサ
【図１】
0006299046.tif 000012
【図２】
0006299046.tif 000013
【図３】
0006299046.tif 000014
【図４】
0006299046.tif 000015
【図５ａ】
0006299046.tif 000016
【図５ｂ】
0006299046.tif 000017
【図５ｃ】
0006299046.tif 000018
【図６】
0006299046.tif 000019